(57)【要約】  ロータリディスクフィルタは逆洗システムを有し、逆洗システムは一連の供給パイプを含み、一連の供給パイプは連続フィルタディスク内でその間に突出し、連続フィルタディスクは回転ドラムに取り付けられる。一連のノズルホルダは供給パイプの外側末端部分に接続される。各ノズルホルダは、主導管と、主導管から外向きに突出している一連の分岐導管と、ノズルホルダをそれぞれの供給パイプに接続するためのコネクタと、を含む。一連の取り外し可能なノズルは、分岐導管の外側末端に固定されている。
2021519209.tif 000002
【特許請求の範囲】
【請求項１】
水を濾過し、前記水から浮遊物質を除去するためのロータリディスクフィルタであって、
水を受け取り、ドラムから水が流れることを可能にするための複数の開口部を有する回転ドラムと、
前記回転ドラムを回転駆動するためのドライブと、
前記ドラムから水を受け取るために前記ドラムの周りに固定された一連の円盤状のフィルタ部材と、
前記水が前記円盤状のフィルタ部材から濾材を通って外向きに流れて濾過された水を生成するように前記水を濾過するための前記円盤状のフィルタ部材の反対側に配置された前記濾材と、
前記濾材を逆洗するための逆洗システムであって、
逆洗を受けるように構成された一連の逆洗供給パイプと、
前記供給パイプから逆洗を受けるために前記供給パイプに動作可能に接続された複数のノズルホルダと、
単一片の成形プラスチックを含む各ノズルホルダであって、外壁を有し、それぞれの供給パイプから前記逆洗を受けるように構成された細長い主導管を含む各ノズルホルダと、
前記主導管の前記外壁と一体であり、前記主導管の前記外壁から外向きに突出している複数の分岐導管と、
前記主導管から前記分岐導管を通して逆洗を導くように構成されている外端部分と貫通開口部を含む各分岐導管と、を備え、
前記主導管が長手方向軸を含み、少なくとも２つの分岐導管が、前記主導管から反対方向に突出し、互いに対してオフセットされ、かつ前記主導管の前記長手方向軸に対してオフセットされており、
前記主導管、外壁、および分岐導管は、単一片の成形プラスチックを含み、
さらに、前記分岐導管の前記外端部分に固定されたノズルと、を備える逆洗システムと、を備えるロータリディスクフィルタ。
【請求項２】
前記供給パイプが、壁、末端部分、および前記末端部分の周りの前記壁に形成された少なくとも１つの開口部を含み、一対の前記ノズルホルダが前記供給パイプの前記末端部分に固定され、逆洗が前記供給パイプから前記ノズルホルダの前記主導管に流れることを可能にするために、前記供給パイプの前記壁の前記少なくとも１つの開口部に連通可能に開いている、請求項１に記載のロータリディスクフィルタ。
【請求項３】
前記供給パイプが、少なくとも１つの開口部を有する末端部分を含み、前記ノズルホルダは、第１および第２の端部分と、前記第１の端部分に形成され、かつ前記ノズルホルダと一体の成形プラスチックコネクタとを含み、前記コネクタは、前記供給パイプの前記末端部分と係合し、前記ノズルホルダを前記供給パイプに固定するように構成されて、逆洗が前記供給パイプから、その前記末端部分の前記少なくとも１つの開口部を通って、前記ノズルホルダの前記主導管に流れる、請求項１に記載のロータリディスクフィルタ。
【請求項４】
前記ノズルホルダの前記第１の端部分の一部が前記コネクタを通って突出している、請求項３に記載のロータリディスクフィルタ。
【請求項５】
前記コネクタを通って突出する前記ノズルホルダの前記第１の端部分の部分もまた、前記供給パイプの壁に形成された開口部に突出する、請求項４に記載のロータリディスクフィルタ。
【請求項６】
前記ノズルホルダは、第１および第２の端部分と、
前記ノズルホルダの前記第１の端部分に配置され、前記ノズルホルダを前記供給パイプに固定するように構成されたコネクタと、
前記コネクタを通って突出し、前記供給パイプの壁に形成された開口部に挿入された前記ノズルホルダの前記第１の端部分の一部と、を備える、請求項１に記載のロータリディスクフィルタ。
【請求項７】
一対のノズルホルダが、長手方向に整列して前記供給パイプの末端部分に接続されており、前記一対のノズルホルダのそれぞれは、その一端部分の周りに配置されかつ前記供給管の一部の周りに延びる一体型コネクタと、前記供給パイプが２つの前記コネクタと前記ノズルホルダとの間に略挟まれるように、前記コネクタを係合し、かつ前記コネクタを一緒に固定するための１以上の留め具と、を含む、請求項１に記載のロータリディスクフィルタ。
【請求項８】
前記ノズルホルダは、逆洗が前記供給パイプから前記ノズルホルダに流れることができるように、前記ノズルホルダを前記供給パイプに接続するように構成されたコネクタを含み、
前記主導管、外壁、分岐導管、およびコネクタは、単一片の成形プラスチックを含む、請求項１に記載のロータリディスクフィルタ。
【請求項９】
前記主導管の一部が前記コネクタを通って突出している、請求項８に記載のロータリディスクフィルタ。
【請求項１０】
前記コネクタを通って突出する前記主導管の前記部分が、前記供給パイプに形成された開口部と協調し、前記コネクタが、前記供給パイプと係合し、かつ、逆洗が前記供給パイプから前記ノズルホルダに流れるように、前記ノズルホルダを固定する、請求項９に記載のロータリディスクフィルタ。
【請求項１１】
前記主導管が、前記ドラムが回転している間に前記ノズルホルダが不注意に前記ドラムに係合した場合に、前記ノズルホルダが損傷するのを一般に防止する、略円形または球形の先端を含む外側端部を含む、請求項１に記載のロータリディスクフィルタ。
【請求項１２】
水を濾過し、前記水から浮遊物質を除去するためのロータリディスクフィルタであって、
水を受け取り、ドラムから水が流れることを可能にするための複数の開口部を有する回転ドラムと、
前記回転ドラムを回転駆動するためのドライブと、
前記ドラムから水を受け取るために前記ドラムの周りに固定された一連の円盤状のフィルタ部材と、
前記水が前記円盤状のフィルタ部材から濾材を通って外向きに流れて濾過された水を生成するように前記水を濾過するための前記円盤状のフィルタ部材の反対側に配置された前記濾材と、
前記濾材を逆洗するための逆洗システムであって、
その中に形成された少なくとも１つの開口部を有し、逆洗を受けるように構成された末端部分を含む少なくとも１つの逆洗供給パイプと、
そこから逆洗を受けるための前記逆洗供給パイプに作動可能に接続された第１のノズルホルダと、を含み、
前記ノズルホルダは細長い主導管および前記主導管から外向きに突出する一連の分岐導管を含み、
前記分岐導管の少なくとも２つは、前記ノズルホルダの前記主導管から反対の方向に略突出しており、
前記分岐導管は、末端部分と、前記主導管から通路を通って前記分岐導管の外に逆洗を導くように構成された前記通路とを含む、逆洗システムと、
前記分岐導管の前記末端部分に固定された取り外し可能なノズルと、を備え、
前記ノズルホルダは、第１および第２の端部分と、前記第１の端部分に形成され、前記ノズルホルダと一体の成形プラスチックコネクタと、を含み、前記コネクタは、前記供給パイプの前記末端部分と係合し、前記ノズルホルダを前記供給パイプに固定するように構成されて、逆洗が前記供給パイプから前記供給パイプの前記末端部分の前記少なくとも１つの開口部を通って、前記ノズルホルダの前記主導管に流れる、ロータリディスクフィルタ。
【請求項１３】
第２のノズルホルダと、前記第２のノズルホルダと一体の第２のコネクタを含み、前記コネクタは、前記ノズルホルダが整列され、前記供給パイプから外向きに延びるように、前記ノズルホルダを前記供給パイプに固定するように構成される、請求項１２に記載のロータリディスクフィルタ。
【請求項１４】
前記コネクタは、前記第１のノズルホルダを前記供給パイプに固定するのを助けるように構成され、前記コネクタは、前記主導管の第１の端部分に配置され、前記主導管は、前記コネクタを通って、前記供給パイプの前記末端部分に形成された前記開口部に突き出ている、請求項１２に記載のロータリディスクフィルタ。
【請求項１５】
前記主導管が長手方向軸を含み、前記分岐導管が長手方向および円周方向に間隔を置いて配置され、かつ前記主導管の前記長手方向アクセスに対してオフセットされている、請求項１２に記載のロータリディスクフィルタ。
【請求項１６】
水を濾過し、前記水から浮遊物質を除去するためのロータリディスクフィルタであって、
水を受け取り、ドラムから水が流れることを可能にするための複数の開口部を有する回転ドラムと、
前記回転ドラムを回転駆動するためのドライブと、
前記ドラムから水を受け取るために前記ドラムの周りに固定された一連の円盤状のフィルタ部材と、
前記水が前記円盤状のフィルタ部材から濾材を通って外向きに流れて濾過された水を生成するように前記水を濾過するための前記円盤状のフィルタ部材の反対側に配置された前記濾材と、
前記濾材を逆洗するための逆洗システムであって、
逆洗を受けるように構成された一連の逆洗供給パイプであって、各供給パイプが開口部を含む逆洗供給パイプと、
前記供給パイプから逆洗を受けるために前記供給パイプに動作可能に接続された複数のノズルホルダであって、
細長い主導管と、
前記主導管から外向きに突出し、外端部分を含む複数の分岐導管と、
前記分岐導管の前記外端部分に固定されたノズルと、
内端を有する各ノズルホルダと、を含むノズルホルダと、
前記ノズルホルダの前記内端に隣接して配置され、前記ノズルホルダと一体のコネクタと、を備える逆洗システムと、を備え、
前記ノズルホルダの前記内端は、前記一体のコネクタを通って前記供給パイプの前記開口部に突き出ており、
前記コネクタは、前記供給パイプに固定されるように構成され、前記供給パイプからカンチレバー方式で前記ノズルホルダを支持し、前記ノズルホルダが前記供給パイプに連通可能に接続されるように前記ノズルホルダを前記供給パイプに接続するのを助けるように構成され、逆洗が前記供給パイプから前記ノズルホルダの前記内端に流れることができるようにする、ロータリディスクフィルタ。
【請求項１７】
２つのノズルホルダが同じ供給パイプに接続されており、それぞれが前記ノズルホルダの１つと一体で、前記２つのノズルホルダの前記内端に隣接して配置された２つのコネクタがあり、両方の前記コネクタは、供給パイプの一部の周りに延在し、協動して両方のノズルホルダを前記供給パイプに接続して、各ノズルホルダが前記供給パイプに連通可能に接続され、逆洗が前記供給パイプから前記ノズルホルダのそれぞれに流れることができる、請求項１６に記載のロータリディスクフィルタ。
【請求項１８】
前記ノズルホルダに関連する前記コネクタが互いに接続し、一般にその間に前記供給パイプを挟み、前記コネクタは、前記２つのノズルホルダが前記供給パイプから外向きに突出し、前記コネクタによって片持ち梁方式で支持されるように、前記２つのノズルホルダを支持する、請求項１７に記載のロータリディスクフィルタ。
【請求項１９】
前記主導管が長手方向軸を含み、前記主導管から外向きに突出する前記分岐導管が前記主導管の前記長手方向軸に対してオフセットされている、請求項１６に記載のロータリディスクフィルタ。
【請求項２０】
前記ノズルホルダの前記主導管、分岐導管、およびコネクタが一体的に形成され、一緒になって一体のプラスチック構造を形成する、請求項１６に記載のロータリディスクフィルタ。
【請求項２１】
前記ノズルホルダが外側端部を含み、前記ノズルホルダが前記回転ドラム上に落下した場合に前記回転ドラムと係合するための丸いまたは球形の先端が前記外側端部に形成されて、前記ノズルホルダの損傷を防止する、請求項１６に記載のロータリディスクフィルタ。
【請求項２２】
水を濾過し、前記水から浮遊物質を除去するためのロータリディスクフィルタであって、
水を受け取り、ドラムから水が流れることを可能にするための複数の開口部を有する回転ドラムと、
前記ドラムを回転駆動するためのドライブと、
前記ドラムから水を受け取るために前記ドラムの周りに固定された一連の円盤状のフィルタ部材と、
前記水が前記円盤状のフィルタ部材から濾材を通って外向きに流れて濾過された水を生成するように前記水を濾過するための前記円盤状のフィルタ部材の反対側に配置された前記濾材と、
前記濾材を逆洗するための逆洗システムであって、
逆洗を受けるように構成された供給パイプであって、一対の開口部を含む前記供給パイプと、
前記供給パイプから逆洗を受けるために前記供給パイプに動作可能に接続された一対の細長いプラスチックノズルホルダであって、各ノズルホルダが、内端部分および外端部分を含む一対の細長いプラスチックノズルホルダと、
外壁と、主導管の前記外壁から外向きに突出する複数の一体型プラスチック分岐導管と、を有する細長いプラスチック主導管を含む各ノズルホルダと、を備え、
少なくとも２つの分岐導管が前記主導管から反対方向に突出しており、
さらに、前記主導管から貫通開口部を通って流れる逆洗を可能とするように構成された前記貫通開口部を含む各分岐導管と、
各分岐導管の末端部分に配置されたノズルと、を含む逆洗システムと、
前記ノズルホルダの前記内端部分に一体成形された供給パイプコネクタと、
互いに接続され、前記供給パイプとその中の開口部とを挟み、前記供給パイプから片持ち梁方式で一対のノズルホルダを支持する前記コネクタと、を備え、
前記コネクタは、前記ノズルホルダの前記内端部分が前記供給パイプの前記開口部に突出するように前記ノズルホルダを支持するように構成される、ロータリディスクフィルタ。
【発明の詳細な説明】
【技術分野】
【０００１】
本発明は、ロータリディスクフィルタ、より具体的にはロータリディスクフィルタおよびそれらの逆洗システムに関する。
【背景技術】
【０００２】
ロータリディスクフィルタは、定期的に作動する逆洗システムを採用して、濾材を逆洗し、かつ濾材の内側に配置された浮遊物質を取り除く。そのような逆洗システムは、濾材に隣接するノズルを支持するためのノズルサポートアセンブリを採用している。従来のノズルサポートアセンブリには多くの不利益と欠点がある。まず、典型的なロータリディスクフィルタの設計では、ディスクフィルタの片側に沿って延びる逆洗マニホールドが提供される。マニホールドに接続された内側の鋼管は、フィルタディスク間の領域に延びている。従来のノズルおよび関連するノズルサポートアセンブリは、内側の鋼管の内側の端部に動作可能に接続されている。内側の鋼管および関連するノズルサポートアセンブリは非常に重く、かつマニホールドに大きなトルクをかける。第二に、これらのノズルサポートアセンブリは、通常、複数の部品を含んでいる。逆洗を放出するための開口部を提供するために、鋼管に穴を開ける必要がある。通常、これらのノズルサポートアセンブリには、漏れの可能性がある溶接ジョイントとネジジョイントが含まれる。結局、そのような従来のノズルサポートアセンブリは、費用がかかり、およびかなりの量の組み立て時間を必要とする。
【０００３】
したがって、コスト、組み立て時間、部品、ジョイント、シールの数を減らし、かつ潜在的な漏れ点を減らすノズルサポートアセンブリの設計が必要とされ続けている。
【発明の概要】
【０００４】
本発明は、複数のノズルを支持するように構成され、かつ逆洗供給パイプ、時には内部パイプと呼ばれるに動作可能に接続されるように構成されたノズルホルダを含むフィルタ逆洗システムを有するロータリディスクフィルタに関する。
【０００５】
一実施形態では、ノズルホルダは、外壁を有する細長い主導管と、外壁から外向きに突出し、末端部分を含む一連の分岐導管とを含む。ノズルは、分岐導管の末端部分に取り外し可能に固定されている。
【０００６】
さらに一実施形態では、ノズルホルダは成形プラスチックで構成され、かつ外壁を有する主導管と、外壁から外向きに突出する複数の分岐導管とを含む。分岐導管は、取り外し可能なノズルを受け入れる末端部分を含む。この実施形態では、主導管、外壁、および分岐導管を含むノズルホルダは、全て、単一の成形プラスチック片に形成されている。
【０００７】
本発明の他の目的および利点は、そのような発明の単なる例示である以下の説明および添付の図面の検討から明らかになり、かつ自明になるであろう。
【図面の簡単な説明】
【０００８】
【図１】図１は、ロータリディスクフィルタの斜視図であり、ハウジングの一部が開いており、回転可能なドラムに取り付けられた一連のフィルタディスクを示している。
【０００９】
【図１Ａ】図１Ａは、ハウジングの実質的な部分が分解されたロータリディスクフィルタの斜視図であり、フィルタディスク、フィルタディスクを支持する回転ドラムを示しており、ならびにディスクフィルタへの流入水の流れ、およびディスクフィルタからの濾過された流出水の流れを示している。
【００１０】
【図２】図２は、ディスクフィルタのドラムを回転駆動するための駆動システム、ならびに逆洗ポンプおよびサイドマニホールドを含む逆洗システムの一部を特に示す斜視図である。逆洗ノズルは作動不能な位置に配置されていることに注意されたい。つまり、ノズルは、検査、保守点検、または修理が可能なフィルタディスク間から外側に回転して示されている。
【００１１】
【図３】図３は、マニホールドパイプ、供給パイプおよびノズルホルダを含む逆洗システムの一部を示す斜視図である。
【００１２】
【図４】図４は、一対のノズルホルダおよび逆洗供給パイプの一部を示す斜視分解図である。
【００１３】
【図５】図５は、図４と同様の斜視図であるが、供給パイプに接続されたノズルホルダを示している。
【００１４】
【図６】図６は、一対のネジを介して供給パイプに接続された２つのノズルホルダを示す断片的な水平断面図である。
【００１５】
【図７】図７は、図５に示すアセンブリの上面図である。
【００１６】
【図８】図８は、図５に示されるアセンブリの側面立面図であるが、部分が切り取られて、逆洗供給パイプへのノズルホルダの接続を示している。
【００１７】
【図９】図９は、一対のノズルを支持するノズルホルダの一部を示す断片的な側面立面図である。
【００１８】
【図１０】図１０は、ノズルホルダの一実施形態の斜視図である。
【００１９】
【図１１】図１１は、図１０に示されるノズルホルダの上面図である。
【００２０】
【図１２】図１２は、図１０に示されるノズルホルダの側面立面図であり、コネクタの一部が断面図で示されている。
【００２１】
【図１３】図１３は、図１２のノズルホルダの内端を示す側面立面図である。
【００２２】
【図１４】図１４は、図１２のノズルホルダの外端を示す端面立面図である。
【００２３】
【図１５】図１５は、ノズルホルダの第２の実施形態の斜視図である。
【００２４】
【図１６】図１６は、連続するフィルタディスクの間に配置されたノズルホルダを示し、かつノズルホルダの幅が、フィルタディスクを近接して配置できるようなものであることを示す概略図である。
【発明を実施するための形態】
【００２５】
図面を参照すると、その中には、一般に数字１０で示されるロータリディスクフィルタが示されている。以下に説明するように、ディスクフィルタ１０は、逆洗システムの一部を形成する独自のノズルサポート構造を含む。逆洗システムの設計特徴について説明する前に、ロータリディスクフィルタの基本設計について簡単に説明することが有益であり得る。
【００２６】
図面（図１、１Ａおよび２）を特に参照すると、ディスクフィルタ１０は、外部ハウジング１２を備える。ハウジング１２は、通常、上部、下部、側面、および端部を含む。いくつかのロータリディスクフィルタ（第２のタイプ）には、実質的なハウジング構造が備わっていないことに注意してください。これらのディスクフィルタは、事前に形成されたコンクリートの水盤に設置するように設計されているため、フレームタイプのディスクフィルタと呼ばれることがよくある。ディスクフィルタの第３のタイプまたはバージョンがあり、これは、下部および側面を備えるハーフタンクまたはフレームを含み、かつディスクフィルタのドラムのほぼ中央にのみ到達する。
【００２７】
いずれにせよ、どちらのタイプのディスクフィルタも、ディスクフィルタ１０を構成する様々な構成要素を支持するためのフレーム構造を備えている。これに関して、ドラム１４は、ディスクフィルタのフレーム構造に回転的に取り付けられている。一般に、ドラム１４は、流入水がドラムから、一般に数字１６で示され、かつドラムに取り付けられている一連の円盤状フィルタ部材（フィルタディスクと呼ばれることもある）に流れることを可能にする入口開口部およびその表面に形成された一連の開口部１４Ａを含むことを除いて、閉じられている。図１Ａを参照されたい。すなわち、本願明細書のその後の議論から理解されるように、濾過される流入水は、ドラム１４に向けられ、およびドラムからその開口部を通ってそれぞれの円盤状のフィルタ部材１６に向けられる。
【００２８】
ドラム１４に固定されたフィルタディスク１６の数は変えることができる。各フィルタディスク１６は、その反対側に固定または配置されたフィルタフレーム１８および濾材２０を含む。各フィルタディスク１６の内部には、ディスクフィルタ１０によって濾過される水を受け入れて保持するための保水領域が画定されている。流入水に関連するヘッド圧力は、水をフィルタディスク１６から濾材２０を通って外向きに流すのに効果的である。フィルタディスク１６を出る水は、濾過された水または濾液である。これにより、水中の浮遊物質が濾材２０の内面に捕捉される。以下に説明するように、逆洗システムが時々使用されて、浮遊物質を濾材２０から除去し、そこで浮遊物質がドラム内に配置されたトラフに落下し、その後、浮遊物質およびいくらかの逆洗がスラッジ出口２１を介してディスクフィルタ１０から排出される。図１Ａを参照されたい。
【００２９】
フィルタディスク１６を出る濾過水は、フィルタディスクの下にある濾過水保持チャンバまたは領域に集められる。濾過水保持チャンバまたは領域は、濾過水をディスクフィルタ１０から排出することを可能にする出口を含む。
【００３０】
当業者が理解するように、逆洗操作中、ドラム１４およびそれに取り付けられたフィルタディスク１６が回転する必要がある。ディスクフィルタ１０は、ドラム１４とその上に取り付けられたフィルタディスク１６を回転させるための駆動システムを備えている。図２に示す実施形態の場合、ディスクフィルタ１０の後方部分の周りのパネルまたは壁構造に取り付けられているのは、ドラム１４が取り付けられている（図２）シャフトに接続されたスプロケットまたはシーブ１３を駆動するように動作するドラムモータ３０である。ドラム１４を回転させるために、ドラムモータ３０とスプロケットまたはシーブ１３との間で様々な手段を動作可能に相互接続することができる。一例では、チェーンドライブを利用して、ドラム１４を回転させるシャフトに固定されたスプロケットを駆動する。ドラムおよびフィルタディスク１６を回転させるために、他の様々なタイプの駆動システムを利用することができる。場合によっては、例えば、ギア付きモータからドラムシャフトを直接駆動することがあり得る。
【００３１】
図１Ａは、ディスクフィルタ１０の斜視図であり、ディスクフィルタの内部構造、およびディスクフィルタへの流入物の流れ、およびディスクフィルタからの濾液（流出物）の流れをよりよく説明するために部分が切り取られている。図１Ａに示される実施形態の場合、ディスクフィルタ１０は、流入入口２２を備えている。流入入口２２は、流入保持タンク２４につながる。流入物保持タンク２４は任意である。つまり、いくつかのディスクフィルタ設計では必要でない。流入保持タンク２４は、保持タンク２４内に保持された流入液が保持タンクからドラム１４に流れるように、ドラム１４の入口開口部に隣接して配置されている。図１Ａに見られるように、流入物保持タンク２４は、ディスクフィルタ１０の上流側に配置されている。流入する保持タンクの周囲および一般にその下に配置されているのは、バイパスタンク２８である。出口３２は、流入物がバイパスタンク２８から流れることを可能にする。流入保持タンク２４はオーバーフロー開口部を含むことに留意されたい。これらのオーバーフロー開口部は、流入物のオーバーフローが保持タンク２４からバイパスタンク２８に下向きに流れることを可能にする。これは、流入水保持タンク２４内の水位の高さを効果的に制限する。別個のバイパスタンク２８のための代替設計が存在する。これは「ミキシングバイパス」と呼ばれる。この設計では、濾過されていないバイパス水を濾過タンク内の濾過水と混合し、および、通常はディスクフィルタの後部からディスクフィルタから混合物を送ることを伴う。
【００３２】
ディスクフィルタ１０は、濾液または流出物保持タンク２６を含む。図１Ａに示される実施形態の場合では、流出物保持タンク２６は、ディスクフィルタ１０の下流端部の周りに配置されている。図１に示されるように、流出物保持タンク２６は、フィルタディスク１６の少なくとも下部の周りに延びる。流入液が濾材２０を通って外向きに移動すると、これにより水が濾過され、および濾過された水が濾過された流出物を構成することになる。流出水貯蔵タンク２６に保持されるのはこの流出水である。出口（図示せず）は、濾過された流出物を流出物保持タンク２６から排出するための様々な場所に便利に配置することができる。
【００３３】
上記の説明は、ロータリディスクフィルタの一般的な概要を示している。ロータリディスクフィルタ、それらの構造および動作のより完全で統一された理解については、米国特許第７，９７２，５０８号明細書および米国特許出願番号１４／７７５１９６を参照され、これらの開示は、参照により本願明細書に明示的に組み込まれる。
【００３４】
ロータリディスクフィルタ１０は、濾材２０を定期的に逆洗するための逆洗システムを含む。逆洗システムは、逆洗ポンプ５０、ディスクフィルタ１０の側面部分に沿って延びるマニホールド５２、およびマニホールド５２に接続され、かつそこから内側に突出する一連の供給パイプ５４を備える。内側パイプと呼ばれることもある供給パイプ５４は、マニホールド５２からフィルタディスク１６の間の領域に突出している。供給パイプ５４に固定されているのは、一般に数字５６で示される一連のノズルホルダである。ノズルホルダ５６は、取り外し可能なノズル５８を受け入れるように設計されている。本開示の後続の部分から理解されるように、逆洗ポンプ５０は、濾過水などの逆洗源からマニホールド５２内およびマニホールド５２を通って逆洗をポンプで送る。逆洗ポンプ５０は、逆洗を、マニホールド５２からそれぞれの供給パイプ５４に、そして供給パイプからノズルホルダ５６に入り、かつノズルホルダ５６を通り、およびそれぞれのノズル５８から送り出すように動作する。いくつかの実施形態では、ディスクフィルタ自体は、逆洗ポンプ５０を含まなくてもよい。他の実施形態では、加圧逆洗は、ロータリディスクフィルタの一部を形成する逆洗ポンプ以外の供給源から提供することができる。
【００３５】
マニホールド５２は、ディスクフィルタ１０の片側に沿って堅固に取り付けるか、または回転的に取り付けることができる。いくつかの場合において、マニホールド５２は、ドラムモータ３０またはドラム１４から間接的に駆動することができるドライブ（図示せず）に動作可能に接続されている。いずれにせよ、洗浄操作中のマニホールド５２は前後に振動することができ、その結果、ノズル５８が濾材２０の間を前後にスイープして、濾材２０の特定の領域を逆洗する。他の場合には、マニホールド５２は、上記のように、堅固に取り付けられており、逆洗操作中に前後に振動しない。
【００３６】
各供給パイプ５４は、１つまたは複数のノズルホルダ５６に連通可能に接続するように構成される。図５を参照されたい。供給パイプ５４は、供給パイプの末端部分の周りに形成された１つまたは複数の開口部５４Ｂを含む外壁５４Ａを含むことに留意されたい。図４を参照されたい。図４および５に示される実施形態では、壁５４Ａに２つの整列した開口部５４Ｂが提供される。これにより、２つのノズルホルダ５６を供給パイプ５４に接続することができ、各ノズルホルダは、供給パイプの壁の開口部５４Ｂの１つに連通可能に接続される。エンドキャップ５４Ｃは、供給パイプ５４の末端に固定されている。したがって、この実施形態の場合、逆洗は、マニホールド５２から供給パイプ５４に、および供給パイプの末端部分に固定された２つのノズルホルダ５６にポンプで送られることが理解される。単一のノズルホルダ５６を供給パイプ５４に固定することができることが理解される。これは、壁５４Ａに単一の開口部５４Ｂを提供し、および単一のノズルホルダ５６を供給パイプに形成された単一の開口部に連通可能に接続することによって達成される。
【００３７】
図１０から１５を参照すると、ノズルホルダ５６がその中に示されている。ノズルホルダ５６は、長手方向軸５６Ｂを有する主導管５６Ａを含む。主導管５６Ａは、外壁５６Ｃを含む。主導管５６は、逆洗がその中に流れることを可能にするために開いている。また、ノズルホルダ５６の一部を形成するのは、複数の分岐導管５６Ｄである。図面に示されているように、分岐導管５６Ｄは、長手方向に間隔を置いて配置され、かつ長手方向軸５６Ｂに対してオフセットされている。図１０から１５に見られるように、分岐導管５６Ｄは、主導管５６Ａの外壁５６Ｃから外向きに突出している。各分岐導管５６Ｄは、貫通開口部５６Ｅを含む。貫通開口部５６Ｅは、逆洗がそれぞれの分岐導管５６Ｄを通って流れることを可能にする。
【００３８】
ノズルホルダ５６の長さは変えることができる。図面に示される２つの例示的な実施形態が存在する。１つの例示的な実施形態では、４つの分岐導管５６Ｄ（図１０から１４）が提供され、および他の例示的な実施形態（図１５）では、ノズルホルダは、８つの分岐導管を含む。ノズルホルダ５６のサイズおよび長さ、ならびに分岐導管５６Ｄの数は、特定の用途に応じて変化し得ることが理解される。
【００３９】
ノズルホルダ５６は、内端部分と外端部分とを含む。供給管５４に接続するのは内端部である。ノズルホルダ５６の一実施形態の外端は、丸いまたは球形の先端５６Ｆを含む。図５を参照されたい。この理由は、ドラムが回転している間に、ノズルホルダ５６が不注意に下向きに落下してドラム１４と係合する可能性があるためである。丸いまたは球形の先端５６Ｆは、ノズルホルダ５６、ノズル５８および／または関連する供給パイプ５４への損傷の可能性を最小化または低減することができる。
【００４０】
ノズルホルダ５６を供給管５４に取り付けて接続するために、各ノズルホルダは、ノズルホルダの内端部分に配置されたコネクタ５６Ｇを備えている。図面、特に図１０および１５に見られるように、コネクタ５６Ｇは、供給パイプ５４の一部を包むように構成されたほぼＣ字形をとる。コネクタ５６Ｇは、一対のネジ開口部５６Ｈを含むことに留意されたい。ネジ開口部は、ネジ山付きまたはネジ山なしにすることができる。図６に示すように、一対のノズルホルダ５６が供給パイプ５４に接続される場合、一方のノズルホルダに関連する一方のコネクタ５６Ｇはネジ山付き開口部を含み、他方のノズルホルダに関連する他方のコネクタは、単に一対のネジ６０を受け入れるためのネジスリーブを含むだろう。ネジ６０は、一方のコネクタ５６Ｇを通って他方のコネクタのネジ山付きネジ開口部穴に延長され、およびネジが締められて、両方のコネクタが供給パイプ５４の周りにぴったりとはまるように引っ張られる。ノズルホルダ５６は、コネクタ５６Ｇを通って突出する部分を含むことに留意されたい。これはスタブ端部５６Ｉと呼ばれる。図６、１０、および１５を参照されたい。ノズルホルダ５６のスタブ端部５６Ｉは、供給パイプ５４の壁５４Ａに形成された開口部５４Ｂに挿入されるように設計されている。供給管５４とノズルホルダ５６との間に液密シールを形成するために、供給管５４の壁５４Ａとスタブ端部５６Ｉとの間にＯリング６２が挿入されている。図６において、各コネクタ５６Ｇは、Ｏリング６２を受け入れるために５６Ｉのスタブ端部に形成されたＯリング凹部を含むことに留意されたい。図６に示されるように、Ｏリング６２は、供給パイプ５４とコネクタ５６Ｇとの間に液密シールを形成する。
【００４１】
一連のノズル５８は、分岐導管５６Ｄの外側末端に取り外し可能に固定されている。図９に示すように、ノズル５８は、本体５８Ａ、オリフィス５８Ｂ、および接続部分５８Ｃを含む。ノズル５８を分岐導管５６Ｄに取り外し可能に固定するために様々な手段を使用することができる。ノズルの設計は、ノズルが分岐導管５６Ｄから迅速かつ容易に取り付けおよび取り外しができるようなものであることが好ましい。一実施形態では、ノズル５８は、ツイストアンドロックバヨネット接続を介して分岐導管５６Ｄの末端に取り付けられている。分岐導管５６Ｄとノズル５８との間に液密シールを提供するために、ノズル５８と分岐導管５６Ｄの末端との間に挿入されるガスケット５９が提供される。図４を参照されたい。
【００４２】
ノズル５８および分岐導管５６Ｄは、様々な方法で間隔をあけて方向付けることができる。図面に示される例示的な実施形態では、分岐導管５６Ｄの対がグループ化されている。分岐導管５６Ｄの各対は、主導管５６Ａの長手方向軸５６Ｂに対してオフセットされている。さらに、各対の分岐導管５６Ｄは、外壁５６Ｃから反対方向に突出している。例えば、図１２および１４を参照されたい。この例示的な実施形態では、ノズル５８は、各ノズルからの逆洗スプレーがノズルホルダ５６の一部の上または下を通過するように向けられている。この配置により、連続するフィルタディスク１６の間に存在する特定の間隔に対して、ノズル５８と対象の濾材２０との間の間隔を大きくすることができる。したがって、所定のノズル設計について、これは、ノズルの有効な噴霧パターンを増加させる傾向がある。
【００４３】
図４から６は、ノズルホルダ５６がどのように供給パイプ５４に固定されるかを示している。この実施形態では、２つのノズルホルダ５６が供給パイプ５４から片持ち梁で支えられている。同時に、ノズルホルダ５６は、供給パイプ５４と液密シールを形成している。各Ｃ字形状コネクタ５６Ｇは、供給パイプ５４の一部を包み込む。図６に示すように、ネジ６０は２つのコネクタ５６Ｇを一緒に固定する。締め付けられると、コネクタ５６Ｇは、各ノズルホルダのスタブ端部５６Ｉを、供給パイプに形成された開口部５４Ｂに引き込む。供給パイプとノズルホルダのコネクタ５６Ｇとの間に挿入されたＯリング６２の存在により、液密シールが提供される。したがって、供給パイプ５４に圧送された逆洗は、ノズルホルダ５６のそれぞれに向けられ、分岐導管５６Ｄに取り付けられたノズル５８を通して向けられることが理解される。単一のノズルホルダ５６は、供給パイプと同様の方法で固定できることを理解されたい。この場合、供給パイプに接続されるノズルホルダに関連付けられるコネクタ５６Ｇに接続するために、別のノズルホルダに関連付けられていない相補的なＣ字形状コネクタを使用することができる。
【００４４】
上に示したように、いくつかの実施形態では、コネクタ５６Ｇは、ノズルホルダ５６を供給パイプ５４に接続するように機能する。他の実施形態では、コネクタ５６Ｇは、１つのノズルホルダを別のノズルホルダに接続するように機能する。例えば、一実施形態では、２つのノズルホルダは、２つの協働するコネクタによってエンドツーエンドの関係で接続することができる。
【００４５】
例示的な一実施形態では、ノズルホルダ５６は、成形プラスチックで構成されている。この例示的な実施形態では、これは、主導管５６Ａ、分岐導管５６Ｄ、およびコネクタ５６Ｇが単一片の成形プラスチックを含むことを意味する。他の実施形態では、ノズルホルダ５６は、一緒に恒久的に固定されたその機能的構成要素のうちの２つ以上を含む。この実施形態では、例えば、分岐導管５６Ｄは、主導管５６Ａに恒久的に固定されている。別の例では、分岐導管５６Ｄおよびコネクタ５６Ｇの両方が、主導管５６Ａに恒久的に固定されている。ノズルホルダ５６またはその一部にプラスチックを使用する場合、永久接続は、超音波（例えば、超音波溶接による）または熱溶接およびシーリング（例えば、熱またはホットプレート溶接）によって行うことができる。「恒久的に固定された」という用語は、ネジ、ボルト、およびリベットなどの機械的留め具による接続を除外する。本願明細書および特許請求の範囲は、「動作可能に接続された」という用語を使用した。「操作上接続されている」とは、２つの構造を直接または間接的に接続できることを意味する。例えば、供給パイプから逆洗を受けるために供給パイプに動作可能に接続された複数のノズルホルダへの言及がある。ここで、複数のノズルホルダは、供給パイプに直接接続されていないかもしれないが、逆洗が供給パイプから複数のノズルホルダに流れるので、それらは間接的に接続され得る。
【００４６】
逆洗システム、特にノズルホルダ５６およびノズルホルダが供給パイプ５４に連通可能に接続される方法には多くの利点がある。第１に、供給パイプ５４の端部に固定されたノズルサポート構造は、軽量構造である。これは、供給パイプ５４への負荷を大幅に低減し、および洗浄操作中にマニホールド５２を回転させるのに必要なトルクを大幅に低減する。さらに、ノズルホルダ５６の設計は、ノズル５８を支持するために使用される構成要素を最小化する。供給パイプ５４およびノズルホルダ５６の設計は、溶接およびネジ継手の数を減らし、かつ、これは次に、継手の漏れの可能性を減らす。最終的に、供給パイプとノズルホルダの設計と配置により、コストが削減され、かつ組み立てと配送の時間が短縮される。さらに、供給パイプおよびノズルホルダの設計は、かさばらず、かつフィルタディスク１６をドラム１４の周りにより接近して積み重ねることができる。ドラムの単位長さあたり多くのフィルタディスク１６を有効にすることで、所定のフットプリントのフィルタ容量が増加し、かつ最終的には、フィルタ容量に関連してディスクフィルタの全体的なコストが削減される傾向がある。
【００４７】
もちろん、本発明は、本発明の範囲および本質的な特徴から逸脱することなく、本願明細書に記載されたもの以外の特定の方法で実施することができる。したがって、本実施形態は、全ての態様において例示的であり、かつ限定的ではないと解釈されるべきであり、添付の特許請求の範囲の意味および同等の範囲内に入るすべての変更は、そこに含まれることが意図される。
【図１】
2021519209.tif 000003
【図１Ａ】
2021519209.tif 000004
【図２】
2021519209.tif 000005
【図３】
2021519209.tif 000006
【図４】
2021519209.tif 000007
【図５】
2021519209.tif 000008
【図６】
2021519209.tif 000009
【図７】
2021519209.tif 000010
【図８】
2021519209.tif 000011
【図９】
2021519209.tif 000012
【図１０】
2021519209.tif 000013
【図１１】
2021519209.tif 000014
【図１２】
2021519209.tif 000015
【図１３】
2021519209.tif 000016
【図１４】
2021519209.tif 000017
【図１５】
2021519209.tif 000018
【図１６】
2021519209.tif 000019
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
水を濾過し、前記水から浮遊物質を除去するためのロータリディスクフィルタであって、
水を受け取り、ドラムから水が流れることを可能にするための複数の開口部を有する回転ドラムと、
前記回転ドラムを回転駆動するためのドライブと、
前記ドラムから水を受け取るために前記ドラムの周りに固定された一連の円盤状のフィルタ部材と、
前記水が前記円盤状のフィルタ部材から濾材を通って外向きに流れて濾過された水を生成するように前記水を濾過するための前記円盤状のフィルタ部材の反対側に配置された前記濾材と、
前記濾材を逆洗するための逆洗システムであって、
逆洗を受けるように構成された一連の逆洗供給パイプであって、各供給パイプが少なくとも１つの開口部を含む逆洗供給パイプと、
前記供給パイプから離れて片持ち梁方式で支持され、前記供給パイプから逆洗を受けるよう構成された一連のノズルホルダと、
各ノズルホルダであって、
内端部分を有する細長い主導管と、
前記主導管から外向きに突出し、端部分を含む複数の離間した分岐導管と、
前記分岐導管の前記端部分に配置されたノズルと、
前記主導管の前記内端部分に配置されたコネクタと、を備える各ノズルホルダと、を備える逆洗システムと、を備え、
各コネクタはその中の前記開口部に近接するそれぞれの供給パイプに接続され、前記関連するノズルホルダを前記供給パイプから離れて片持ち梁方式で支持するよう構成され、
各コネクタは前記主導管の内端をそれぞれの供給パイプ内の前記開口部に連通可能に接続するようさらに構成され、逆洗が前記供給パイプからその中の前記開口部を通り前記ノズルホルダの前記主導管に流れることができる、ロータリディスクフィルタ。
【請求項２】
前記ノズルホルダの前記主導管の前記内端部分は、前記コネクタを通り突出しており、前記コネクタの部分は、前記主導管の内端に対してオフセットされており、前記コネクタは前記開口部に近接する前記供給パイプを少なくとも部分的に囲み、前記供給パイプを前記主導管に接続する、請求項１に記載のロータリディスクフィルタ。
【請求項３】
一対のノズルホルダが、長手方向に整列して前記供給パイプの末端部分に接続されており、前記一対のノズルホルダのそれぞれは、その一端部分の周りに配置されかつ前記供給パイプの一部の周りに延びる前記コネクタと、前記供給パイプが２つの前記コネクタと前記ノズルホルダとの間に略挟まれるように、前記コネクタを係合しかつ前記コネクタを一緒に固定するための１以上の留め具と、を含む、請求項１に記載のロータリディスクフィルタ。
【請求項４】
水を濾過し、前記水から浮遊物質を除去するためのロータリディスクフィルタであって、
水を受け取り、ドラムから水が流れることを可能にするための複数の開口部を有する回転ドラムと、
前記回転ドラムを回転駆動するためのドライブと、
前記ドラムから水を受け取るために前記ドラムの周りに固定された一連の円盤状のフィルタ部材と、
前記水が前記円盤状のフィルタ部材から濾材を通って外向きに流れて濾過された水を生成するように前記水を濾過するための前記円盤状のフィルタ部材の反対側に配置された前記濾材と、
前記濾材を逆洗するための逆洗システムであって、
逆洗を受けるように構成された一連の逆洗供給パイプであって、各供給パイプが少なくとも１つの開口部を含む逆洗供給パイプと、
前記供給パイプに支持され、前記供給パイプから逆洗を受けるよう構成された一連のノズルホルダであって、各ノズルホルダが、
内端部分と、長手方向軸と、を有する細長い主導管と、
軸と端部分とを含む各分岐導管を備える前記主導管から突出する複数の離間した分岐導管と、を備え、
前記分岐導管が第１および第２の群の分岐導管を含み、前記第１の群が一方の方向に突出し、前記第２の群が反対の方向に突出し、
前記第１および第２の群の分岐導管の前記軸が、前記主導管の前記長手方向軸に対してオフセットされており、
さらに、前記分岐導管の前記端部分に配置されたノズルと、
前記主導管の前記内端部分に配置されたコネクタと、を備える各ノズルホルダと、を備える逆洗システムと、を備え、
各コネクタはその中の前記開口部に近接するそれぞれの供給パイプに接続され、前記関連するノズルホルダを前記供給パイプから離れて片持ち梁方式で支持するよう構成され、
各コネクタは前記主導管の内端をそれぞれの供給パイプ内の前記開口部に連通可能に接続するようさらに構成され、逆洗が前記供給パイプからその中の前記開口部を通り前記ノズルホルダの前記主導管に流れることができ、
前記第１の群の前記分岐導管と前記関連するノズルホルダとが一方の円盤状のフィルタ部材に向けられ、前記第２の群の分岐導管が別の円盤状のフィルタ部材に向けられる、ロータリディスクフィルタ。
【請求項５】
それぞれの供給パイプの末端部分に接続された一対のノズルホルダをさらに備え、
前記ノズルホルダの一対のコネクタがその中の前記開口部に近接して前記供給パイプの周りに延ばされ、前記コネクタの間の前記供給パイプを挟み、
前記一対のコネクタを通り延び、一緒に前記供給パイプの周りに前記コネクタを接続する１以上の留め具をさらに備える、請求項４に記載のロータリディスクフィルタ。
【請求項６】
前記主導管、分岐導管、およびそれぞれのノズルホルダのコネクタは、
単一片の成形プラスチックを含み、
前記主導管の前記内端部分が、略Ｃ字形状であり、かつ前記供給パイプの一部の周りに延在する前記コネクタを通り突出し、
前記主導管の内端が前記供給パイプ内の前記開口部に隣接して保持され、その中の前記開口部と協調して、前記供給パイプを通過する逆洗が前記供給パイプ内の前記開口部を通り前記主導管内に通過する、請求項４に記載のロータリディスクフィルタ。
【請求項７】
前記供給パイプは、壁と、末端部分と、前記末端部分の周りの前記壁に形成された前記開口部と、を含み、一対の前記ノズルホルダは、前記供給パイプの前記末端部分に固定され、逆洗が前記供給パイプから前記ノズルホルダの前記主導管に流れることを可能とするための前記供給パイプの前記壁内の前記開口部に連通可能に接続されている、請求項４に記載のロータリディスクフィルタ。
【請求項８】
水を濾過し、前記水から浮遊物質を除去するためのロータリディスクフィルタであって、
水を受け取り、ドラムから前記水が流れることを可能にするための複数の開口部を有する回転ドラムと、
前記ドラムを回転駆動するためのドライブと、
前記ドラムから水を受け取るために前記ドラムの周りに固定された一連の円盤状のフィルタ部材と、
前記水が前記円盤状のフィルタ部材から濾材を通って外向きに流れて濾過された水を生成するように前記水を濾過するための前記円盤状のフィルタ部材の反対側に配置された前記濾材と、
前記濾材を逆洗するための逆洗システムであって、
その中に形成された少なくとも１つの開口部を有し、逆洗を受けるように構成された末端部分を含む少なくとも１つの逆洗供給パイプと、
そこから逆洗を受けるための前記逆洗供給パイプに作動可能に接続されたノズルホルダと、を含み、
前記ノズルホルダは細長い主導管および前記主導管から外向きに突出する一連の分岐導管を含み、
前記分岐導管の少なくとも２つは、前記ノズルホルダの前記主導管から反対の方向に略突出しており、
前記分岐導管は、末端部分と、前記主導管から通路を通って前記分岐導管の外に逆洗を導くように構成された前記通路とを含む、逆洗システムと、
前記分岐導管の前記末端部分に配置されたノズルと、を備え、
前記ノズルホルダは、第１および第２の端部分と、前記ノズルホルダの前記第１の端部分に形成されたＣ字形状コネクタを含み、前記コネクタは前記供給パイプの前記末端部分と係合し、前記末端部分の周りに延び、前記ノズルホルダを前記供給パイプに固定するように構成されて、逆洗が前記供給パイプから前記供給パイプの前記末端部分の前記開口部を通って、前記ノズルホルダの前記主導管に流れる、ロータリディスクフィルタ。
【請求項９】
前記供給パイプに固定された２つのノズルホルダを含み、前記ノズルホルダの前記コネクタは前記供給パイプを取り囲み、前記ノズルホルダを前記供給パイプに固定するように構成されて、前記ノズルホルダは前記供給パイプから外向き整列し、かつ延びる、請求項８に記載のロータリディスクフィルタ。
【請求項１０】
前記コネクタは前記ノズルホルダを前記供給パイプに固定することを助けるよう構成され、前記主導管は前記コネクタを通り、前記供給パイプの前記末端部分に形成された前記開口部内に突出する、請求項８に記載のロータリディスクフィルタ。
【国際調査報告】
2021519209.tif 000020
2021519209.tif 000021
2021519209.tif 000022